(57)【要約】【課題】押え巻きテープにしわが生じたり、シース成形時に押え巻きが光ファイバ収納溝に落ち込むことがないように押え巻きテープをスロット本体に被覆する方法を提供すること。【解決手段】光ファイバ収納溝に光ファイバを収納したスロット本体１０外周に押え巻きテープを被覆する方法において、押え巻きテープをスロット本体１０に縦添えした後、フォーマ１２を介して押え巻きテープをスロット本体１０に巻き付け、次に口金１３に設けたへら１３ａを前記押え巻きテープ１４のラップ部間に挿入すると共に、当該押え巻きテープ外周を該テープが円周方向に締まる方向に回転する回転体１５で締め付けながら前記スロット本体１０を移送し、しかる後に前記押え巻きテープの外周に粗巻き装置１６で粗巻きを施こすこと。【選択図】　図１
2004012916.tif 000002
【特許請求の範囲】
【請求項１】
光ファイバ収納溝に光ファイバを収納したスロット本体外周に押え巻きテープを被覆する方法において、前記押え巻きテープを前記スロット本体に縦添えした後、フォーマを介して前記押え巻きテープを前記スロット本体に巻き付け、次に口金に設けたへらを前記押え巻きテープのラップ部間に挿入すると共に、当該押え巻きテープ外周を該テープが円周方向に締まる方向に回転する回転体で締め付けながら前記スロット本体を移送し、しかる後に前記押え巻きテープ外周に粗巻きを施したスロット本体外周に押え巻きテープを被覆する方法。
【請求項２】
前記回転体は螺旋コイル体である請求項１記載のスロット本体外周に押え巻きテープを被覆する方法。
【請求項３】
前記回転体は無端帯状回転体である請求項１記載のスロット本体外周に押え巻きテープを被覆する方法。
【発明の詳細な説明】
【０００１】
【産業上の利用分野】
本発明は、光ファイバスロットケーブルにおいて、光ファイバ収納溝に光ファイバを収納したスロット本体外周に押え巻きテープを被覆する方法に関する。
【０００２】
【従来の技術】
従来、光ファイバ収納溝に光ファイバを収納したスロット本体外周に押え巻きテープを被覆する方法として、図６に示すような押え巻きテープの被覆方法が知られていた。図６において、光ファイバを既に収納したスロット本体１が押え巻きテープで縦添えされながら矢印Ｘ方向に進行し、フォーマ２で押え巻きテープがスロット本体１に巻き付けられる。この押え巻きテープが巻き付けられたスロット１ａは口金３を介して粗巻き装置４に導入され、そして粗巻き紐で剥がれないように巻かれた押え巻きテープが被覆されたスロット１ｂが得られる。
【０００３】
【発明が解決しようとする課題】
しかしながら従来の押え巻きテープの被覆方法は、押え巻きに加わる張力が長手方向だけであるので、フォーマ２や口金３の微妙な設定の狂いにより、押え巻きにしわが生じたり、シース成形時に押え巻きテープが光ファイバ収納溝に落ち込むことがあり、これがもとで光ケーブルの伝送特性に悪影響を与えることがあった。
【０００４】
本発明は、このような問題点に着目して成されたもので、押え巻きテープにしわが生じたり、シース成形時に押え巻きが光ファイバ収納溝に落ち込むことがないように押え巻きテープをスロット本体に被覆する方法を提供することを目的とする。
【０００５】
【課題を解決するための手段】
上記課題を解決するために、本発明のスロット本体外周に押え巻きテープを被覆する方法は、光ファイバ収納溝に光ファイバを収納したスロット本体外周に押え巻きテープを被覆する方法において、前記押え巻きテープを前記スロット本体に縦添えした後、フォーマを介して前記押え巻きテープを前記スロット本体に巻き付け、次に口金に設けたへらを前記押え巻きテープのラップ部間に挿入すると共に、当該押え巻きテープ外周を該テープが円周方向に締まる方向に回転する回転体で締め付けながら前記スロット本体を移送し、しかる後に前記押え巻きテープの外周に粗巻きを施したことにある。
これによれば、へらにより押え巻きテープのラップ部内端側部を固定する（下方に押える）と共にラップ部の滑りを円滑にし、しかも回転体で押え巻きテープに円周方向の張力が作用するので、しわの発生がなく、シース成形時に押え巻きテープが光ファイバ収納溝に落ち込むようなことは起こらない。
【０００６】
本発明のスロット本体外周に押え巻きテープを被覆する方法は、前記回転体が螺旋コイル体であることが好ましい。
このようにすれば、螺旋コイル体を回転するだけで、円周方向の張力を押え巻きテープに与えることができる。
【０００７】
本発明のスロット本体外周に押え巻きテープを被覆する方法は、前記回転体が無端帯状回転体であることが好ましい。
このようにすれば、無端帯状回転体を押さえ巻きテープに押し付けるだけで確実に円周方向の張力を押え巻きテープに与えることができる。
【０００８】
【発明の実施の形態】
以下、本発明の実施形態を図１ないし図４に基づいて説明する。
【０００９】
図１は本発明の実施例としての押え巻きテープ被覆方法の概略工程図であり、図２はへらがラップ部に差し込まれた状態を示した部分破断斜視図であり、図３は口金の断面図であり、図４は螺旋コイル体の断面図である。
【００１０】
図２において、光ファイバテープ心線６を既に光ファイバ収納溝８に収納したスロット本体１０が、図１に示すように押え巻きテープで縦添えされながら矢印Ｘ方向に進行し、フォーマ１２で押え巻きテープがスロット本体１０に巻き付けられる。
【００１１】
図２に示すように、このフォーマ１２の出口から送出された押え巻きテープ１４は口金１３から延びたへら１３ａが前記押え巻きテープ１４のラップ部間に介在するように口金１３に挿入され、押え巻きテープ１４のラップ部内端側部１４ａは前記へら１３ａの内側に固定され（下方に押えられ）、また、図２，図３に示すように、口金本体１３ｂに形成された切込溝１３ｃに前記ラップ部外端側部１４ｂが挿入され、前記へら１３ａの外側に重なるように送出され、当該へら１３ａが、ラップ部外端側部１４ｂがラップ部内端側部１４ａと密着して前記両端側部１４ａ，１４ｂの自由度が失われることを防いで、ラップ部１４Ａの滑りを円滑にして、押え巻きテープ１４がスロット本体１０と一体になるように形成される。
【００１２】
また、口金１３を通過した押え巻きテープ１４が巻き付けられたスロット１０ａの前記押え巻きテープ１４のラップ部１４Ａの所定長は前記へら１３ａで支持されながら、当該ラップ部は螺旋コイル体１５により隙間のない巻き付けが行われる。前記螺旋コイル体１５は、図４に示すように本体部１５ａとコイル部１５ｂとで構成され、コイル部１５ｂのねじり方向は螺旋コイル体１５を回転させたときにラップ部１４Ａが締まる方向である。また、コイル部１５ｂの内径はスロット本体１０の外径よりも０．５ｍｍから１．５ｍｍ程度大きいことが好ましい。
【００１３】
このような螺旋コイル体１５を用いて口金１３から導出してきた押え巻きテープ１４を締まる方向に回転することで、円周方向の張力を押え巻きテープ１４に与えることができる。従って、しわのない円周方向にピンと張られた巻き付けが実現できる。
【００１４】
螺旋コイル体１５を通過したスロットは粗巻き装置１６に導入され、粗巻き紐で押え巻きテープ１４が剥がれないように巻き付けられたスロット１０ｂが得られる。このように、押え巻きテープ１４がスロット本体１０に対して緩みのない状態で巻き付けられているから、シース成形時においても、押え巻きテープ１４の一部が光ファイバ収納溝８に落ち込むようなことは起きない。
【００１５】
回転体として螺旋コイル体を用いて押え巻きテープに円周方向の張力を与える実施形態について述べたが、他の実施形態として無端帯状体の回転体を用いた例を図５により説明する。
【００１６】
図５は口金から出た後の回転体が配置されている位置でのスロットの断面図で、１０個の光ファイバ収納溝２０を有したスロット本体２１の外周に押え巻きテープ２２がラップ状態で巻き付けられている。押え巻きテープ２２のラップ部２２Ａ近傍には２つの無端帯状回転体２４，２５が配置されている。
【００１７】
一方の無端帯状回転体２４はラップ部２２Ａの内側になる方の近傍に配置され、矢印Ｘ１方向に回転している。他方の無端帯状回転体２５はラップ部２２Ａの外側になる方の近傍に配置され、矢印Ｘ２方向に回転している。従って２つの無端帯状回転体２４，２５を同時に回転させると、押え巻きテープ２２に円周方向の張力を与えることができ、押え巻きテープ２２がスロット本体２１に対して緩みのない状態で巻き付けられる。
【００１８】
【発明の効果】
本発明は以下の効果を奏する。
【００１９】
（ａ）請求項１の発明によれば、へらにより押え巻きテープのラップ部内端側部を固定する（下方に押さえる）と共にラップ部の滑りを円滑にし、しかも回転体で押え巻きテープに円周方向の張力が作用するので、しわの発生がなく、シース成形時に押え巻きテープが光ファイバ収納溝に落ち込むようなことは起こらない。
【００２０】
（ｂ）請求項２の発明によれば、螺旋コイル体を回転するだけで、円周方向の張力を押え巻きテープに与えることができる。
【００２１】
（ｃ）請求項３の発明によれば、無端帯状回転体を押さえ巻きテープに押し付けるだけで確実に円周方向の張力を押え巻きテープに与えることができる。
【図面の簡単な説明】
【図１】本発明の実施例としての押え巻きテープ被覆方法の概略工程図である。
【図２】へらがラップ部に差し込まれた状態を示した部分破断斜視図である。
【図３】本発明の口金の断面図である。
【図４】本発明の螺旋コイル体の断面図である。
【図５】無端帯状回転体を用いた本発明の他の実施形態を示すスロットの断面図である。
【図６】従来の押え巻きテープの被覆方法を示す概略工程図である。
【符号の説明】
１・・・スロット本体
１ａ・・・押え巻きテープが巻き付けられたスロット
１ｂ・・・粗巻き紐が施されたスロット
２・・・フォーマ
４・・・粗巻き装置
６・・・光ファイバテープ心線
８・・・光ファイバ収納溝
１０・・・スロット本体
１０ａ・・・押え巻きテープが巻き付けられたスロット
１０ｂ・・・粗巻き紐が施されたスロット
１２・・・フォーマ
１３・・・口金
１３ａ・・・へら
１３ｂ・・・口金本体
１３ｃ・・・切込溝
１４・・・押え巻きテープ
１４Ａ・・・ラップ部
１４ａ・・・ラップ部内端側部
１４ｂ・・・ラップ部外端側部
１５・・・螺旋コイル体（回転体）
１５ａ・・・本体部
１５ｂ・・・コイル部
１６・・・粗巻き装置
２０・・・光ファイバ収納溝
２１・・・スロット本体
２２・・・押え巻きテープ
２２Ａ・・・ラップ部
２４，２５・・・無端帯状回転体
Ｘ・・・光ファイバスロット製造工程におけるその進行方向
【図１】
2004012916.tif 000003
【図２】
2004012916.tif 000004
【図３】
2004012916.tif 000005
【図４】
2004012916.tif 000006
【図５】
2004012916.tif 000007
【図６】
2004012916.tif 000008